(57)【特許請求の範囲】
【請求項１】
熱成形ガラスシート用の傾斜ローラ搬送装置において、
熱ガラスシート処理システムに取り付けるための一対の支持部であって、前記支持部の一方が水平支持軸を有し、他方の支持部が、前記一方の支持部の前記水平支持軸と異なる高さの水平の支持および駆動軸を有する一対の支持部と、
前記一対の支持部の間に延在し、角度αだけ水平面から傾斜した回転軸を有する水平に傾斜したローラと、
前記傾斜ローラを、前記一方の支持部に、その水平支持軸において回転可能に取り付けるアイドラベアリングと、
前記傾斜ローラを、前記他方の支持部において、その水平の支持および駆動軸で回転可能に支持し、および回転駆動し、搬送される熱い上向きに凹んだ成形ガラスシートの上側部分の下側面の支持を提供する駆動連結器とを含み、
前記駆動連結器が、前記傾斜ローラか前記他方の支持部のどちらかに取り付けられる雌型ソケットと、前記ソケット内に受け入れられかつ前記傾斜ローラまたは前記他方の支持部のうちの他方に取り付けられる雄型インサートとを含み、
前記雌型ソケットが、その周りを前記ソケットが回転するソケット軸を有し、および前記ソケット軸と平行に延在する駆動面を有する内側を含み、各駆動面が周辺中心位置を有し、そこから前記駆動面が、前記ソケット軸からその周辺中心位置までの半径に対して垂直な線から角度βだけ周辺方向においてわずかに外側に傾けられ、
前記雄型インサートが、その周りを前記インサートが回転するインサート軸を有し、および前記雌型ソケットの駆動面の数と同じ数の駆動面を含み、各駆動面が、周辺方向に直線的な形状を有し、この周辺方向の直線的な形状は、前記インサート軸からその直線的な形状に沿った周辺中心位置までの半径に対して垂直であり、また各駆動面が、前記インサート軸に沿って丸い形状を有し、その直径は、前記雌型ソケットの前記駆動面の前記周辺中心位置を通る円の直径よりほんのわずか小さく、それにより前記ソケットが前記インサートを受け入れ、前記ソケット軸と前記インサート軸の間に鋭角αがある状態で前記ソケットと前記インサートの間に回転駆動をもたらすことが可能になる
ことを特徴とする熱成形ガラスシート用の傾斜ローラ搬送装置。
【請求項２】
請求項１に記載の熱成形ガラスシート用の傾斜ローラ搬送装置において、前記雌型ソケットが偶数の前記駆動面を有し、前記雄型インサートが偶数の前記駆動面を有することを特徴とする熱成形ガラスシート用の傾斜ローラ搬送装置。
【請求項３】
請求項１に記載の熱成形ガラスシート用の傾斜ローラ搬送装置において、前記雌型ソケットが略六角形を形成する６つの駆動面を有し、前記雄型インサートが略六角形を形成する６つの駆動面を有することを特徴とする熱成形ガラスシート用の傾斜ローラ搬送装置。
【請求項４】
請求項１に記載の熱成形ガラスシート用の傾斜ローラ搬送装置において、前記雌型ソケットが窪みを有し、前記窪みは、その隣接する駆動面の間に配置され、かつ前記ソケット軸から半径方向に、前記駆動面から外側に延在することを特徴とする熱成形ガラスシート用の傾斜ローラ搬送装置。
【請求項５】
請求項４に記載の熱成形ガラスシート用の傾斜ローラ搬送装置において、前記雌型ソケットの前記窪みが丸みを帯び、前記雄型インサートがその隣接する駆動面の間に丸みを帯びた交差部分を有することを特徴とする熱成形ガラスシート用の傾斜ローラ搬送装置。
【請求項６】
請求項１に記載の熱成形ガラスシート用の傾斜ローラ搬送装置において、前記角度αおよびβが、以下の式：
0006283360.tif 000004
によって関連付けられることを特徴とする熱成形ガラスシート用の傾斜ローラ搬送装置。
【請求項７】
請求項１に記載の熱成形ガラスシート用の傾斜ローラ搬送装置において、前記角度αが０度＜α＜２５度であり、前記角度βが０度＜β＜２．５度であることを特徴とする熱成形ガラスシート用の傾斜ローラ搬送装置。
【請求項８】
請求項１に記載の熱成形ガラスシート用の傾斜ローラ搬送装置において、前記角度αおよびβが、以下の式：
0006283360.tif 000005
によって関連付けられ、
角度αが０度＜α＜２５度であり、角度βが０度＜β＜２．５度であることを特徴とする熱成形ガラスシート用の傾斜ローラ搬送装置。
【発明の詳細な説明】
【技術分野】
【０００１】
本発明は、熱成形ガラスシート用の傾斜ローラ搬送装置に関する。
【背景技術】
【０００２】
その開示全体が参照することにより本明細書に組み込まれる米国特許第６，５４３，２５５号明細書（Ｂｅｎｎｅｔｔら）は、ガラスシートプレス曲げ用のシステムを開示しており、ガラスシートプレス曲げは一実施形態において、プレス曲げ用のプレス曲げステーションへ搬送する前にガラスシートを加熱炉で初期予備成形した後で実行される。システムの下側ホイール床は、下側支持取付ホイール装置を有し、この装置は、予備成形された各ガラスシートを、加熱炉からプレス曲げ用プレス曲げステーションへ搬送する。その開示全体が参照することにより本明細書に組み込まれる、Ｎｉｔｓｃｈｋｅらによって表題“Ｐｒｅｓｓ  Ｂｅｎｄｉｎｇ  Ｓｔａｔｉｏｎ  ａｎｄ  Ｍｅｔｈｏｄ  ｆｏｒ  Ｂｅｎｄｉｎｇ  Ｈｅａｔｅｄ  Ｇｌａｓｓ  Ｓｈｅｅｔｓ”の下で２０１０年４月８日に出願された米国特許出願第１２／７５６，５２１号明細書は、熱成形ガラスシート用のコンベヤを開示しており、この中でコンベヤは、成形ガラスシートを搬送するために、ホイール、水平ローラおよび傾斜ローラを含む。
【発明の概要】
【０００３】
本発明の目的は、熱成形ガラスシート用の改良された傾斜ローラ搬送装置を提供することである。
【０００４】
上記目的の実行において、熱成形ガラスシート用の傾斜ローラ搬送装置は、本発明に従い、熱ガラスシート処理システムに取り付けるための一対の支持部を含むように構成され、ここで支持部の一方は水平支持軸を有し、他方の支持部は、前記一方の支持部の水平支持軸と異なる高さの水平の支持および駆動軸を有する。水平に傾斜したローラが、一対の支持部の間に延在し、角度αだけ水平面から傾斜した回転軸を有する。装置のアイドラベアリングが、傾斜ローラを、一方の支持部に、その水平支持軸において回転可能に取り付け、装置の駆動連結器が、傾斜ローラを、他方の支持部において、その水平の支持および駆動軸で回転可能に支持し、および回転駆動し、それにより傾斜ローラが、搬送される熱い上向きに凹んだ成形ガラスシートの上側部分の下側面の支持を提供するようにする。駆動連結器は、傾斜ローラか他方の支持部のどちらかに取り付けられる雌型ソケットを含み、およびまた、ソケット内に受け入れられかつ傾斜ローラまたは他方の支持部の他方に取り付けられる雄型インサートを含む。雌型ソケットは、その周りをソケットが回転するソケット軸を有し、およびソケット軸と平行に延在する駆動面を有する内側を含み、各駆動面は周辺中心位置を有し、そこから駆動面は、ソケット軸からその周辺中心位置までの半径に対して垂直な線から角度βだけ周辺方向においてわずかに外側に傾けられる。雄型インサートは、その周りをインサートが回転するインサート軸を有し、および雌型ソケットの駆動面の数と同じ数の駆動面を含む。各駆動面は、周辺方向に直線的な形状を有し、この周辺方向の直線的な形状は、インサート軸からその直線的な形状に沿った周辺中心位置までの半径に対して垂直である。また各駆動面は、インサート軸に沿って丸い形状を有し、その直径は、雌型ソケットの駆動面の周辺中心位置を通る円の直径よりほんのわずか小さく、それによりソケットがインサートを受け入れ、ソケット軸とインサート軸の間に鋭角αがある状態でソケットとインサートの間に回転駆動をもたらすことが可能になる。
【０００５】
開示されるように、雌型ソケットは偶数の駆動面を有し、雄型インサートは偶数面の駆動面を有し、具体的には、雌型ソケットは略六角形を形成する６つの駆動面を有し、雄型インサートは略六角形を形成する６つの駆動面を有する。
【０００６】
同じく開示されるように、雌型ソケットは窪みを有し、窪みは、隣接する駆動面の間に配置され、かつソケット軸から半径方向に、駆動面から外側に延在し、および開示されるように雌型ソケットの窪みは丸みを帯び、雄型インサートはその隣接する駆動面の間に丸みを帯びた交差部分を有する。
【０００７】
さらに、角度αおよびβは、以下の式：
0006283360.tif 000002
によって関連付けられ、角度αはゼロ〜２５度の間であり、角度βはゼロ〜２．５度の間である。
【０００８】
本発明の目的、特徴および利点は、添付の図面に関連して読まれるとき、好ましい実施形態の以下の詳細な記載から容易に明らかになる。
【図面の簡単な説明】
【０００９】
【図１】図１は、熱成形ガラスシートを搬送するために本発明に従い構成された傾斜ローラ搬送装置を含むガラスシート処理システムの側面図である。
【図２】図２は、システムの炉の出口端部に隣接する図１の線２−２の方向に沿ったシステムの断面図であり、後続のプレス成形の準備として、炉を出る前に、ロール成形のため、各加熱ガラスシートが搬送される水平ロールおよび傾斜ロールを示す。
【図３】図３は、図１の線３−３の方向に沿って取られた上面図であり、示されるようにシステムのプレス成形ステーションのプレスリング内にある熱成形ガラスシートを搬送するために本発明に従い構成された水平ローラ、ホイールおよび傾斜ローラ搬送装置を示す。
【図４】図４は、水平ローラの１つおよび本発明の傾斜ローラ搬送装置を示す概略斜視図である。
【図５】図５は、その構造を示すために傾斜ローラ搬送装置の１つの断面で取られた立面図である。
【図６】図６は、図５の一部の拡大図であり、傾斜回転軸の周りを回転するように傾斜ローラの一端を支持するアイドラベアリングを示す。
【図７】図７は同じく図５の一部の拡大図であり、駆動連結器によって支持されかつ回転駆動される傾斜ローラの他端を示す。
【図８】図８は、駆動連結器の雌型ソケットの斜視図である。
【図９】図９は、回転駆動を提供するために図５に示されるように雌型ソケット内に受け入れられる駆動連結器の雄型インサートの斜視図である。
【図１０】図１０は、組み立てられた状態にある駆動連結器の雌型ソケットおよび雄型インサートの構成を示す概略図である。
【図１１】図１１は、図１０と同じ方向で取られ、ソケットの隣接する駆動面の間に窪みを有する雌型ソケットの一部を示す。
【図１２】図１２は、図１０に概略的に示されるように雌型ソケット内に受け入れられる雄型インサートの軸方向端面図である。
【図１３】図１２の線１３−１３の方向に沿って取られた雄型インサートの側面図である。
【図１４】図１４は、ねじボルトと協働して雌型ソケットをその隣接する支持部に固定する保持器の斜視図である。
【発明を実施するための形態】
【００１０】
必要に応じて本発明の詳細な実施形態を本明細書に開示する。しかしながら、開示される実施形態は本発明の単なる例であり、それらはさまざまな代替の形態で具体化してもよいことは理解されよう。図面は必ずしも一定の縮尺で描かれていない。いくつかの特徴は、特定の構成要素の詳細を示すために誇張または最小化されている場合がある。従って、本明細書に開示される特定の構造上および機能上の詳細は限定としてではなく、本発明をさまざまに利用すべく当業者に教示するための単なる代表的な原理として解釈されるべきである。
【００１１】
図面の図１を参照すると、ガラスシートを処理するためのシステム１０は、１０によって全体的に示され、成形またはプレス曲げステーション１２を含む。システム１０は炉１４を含み、炉１４はプレス曲げステーション１２から搬送方向Ｃに沿ってすぐ上流にロール曲げステーション１６を有する。搬送方向Ｃに沿ってプレス曲げステーション１２から下流に、システム１０は急冷ステーション１８を含むように示されている。急冷ステーション１８は、ロールステーション１６およびプレス曲げステーション１２によって曲げられた成形ガラスシートの急速な冷却を実現する。これについては以下でより完全に記載する。急冷ステーションの代わりに、ガラスの焼きなましを提供するために、最初に成形されその後プレス曲げされたガラスシートをゆっくり冷却するための焼きなましステーションをシステムが含むことも可能である。
【００１２】
図１を参照し続けることにより示されるように、炉１４は入口端部２０および出口端部２２を含み、およびガラスシートを入口端部から出口端部へ炉を通して搬送方向に沿って搬送するためのコンベヤ２６を有する加熱室２４（図２）を含む。ガラスシートがその上で加熱されるコンベヤ２６は、従来型のガス炉床かロールコンベヤのどちらかであることができ、その上でガラスシートは搬送され、その間、周囲温度から曲げを可能にする十分に高い温度まで加熱される。
【００１３】
炉出口端部２２はロール曲げステーション１６を含み、ロール曲げステーション１６は、水平方向に延在するコンベヤロール２８を有するように図２に示され、コンベヤロール２８は回転駆動され、加熱室内でそれを横切る方向に伸びる搬送方向に沿って水平方向に離間され、加熱されたガラスシートを支持し搬送する。ロール曲げステーション１６はまた、曲げロール３２の組３０の対を含み、曲げロールの組３０は、加熱室２４内で搬送方向に沿って互いに横方向に離間されている。曲げロールの組３０はそれぞれ、駆動機構３３によって支持されかつ回転駆動され、曲げロールは、図２の参照番号３２ａ、３２ｂ、３２ｃおよび３２ｄによって示されるように搬送方向に沿って徐々に傾斜を強める。加熱された各ガラスシートＧを曲げロール３２と協働して搬送方向に沿って搬送することにより、図２に示されるように搬送方向を横切る方向に沿って上向きに凹んだ形状を有する加熱されたガラスシートの曲げまたは予備成形が実現される。
【００１４】
図１、３および４への参照を組み合わせると、上で言及したようなプレス曲げステーション１２は、炉の出口端部２２から下流に炉１４の外側に配置され、ロール曲げステーション１６からロールによって曲げられたガラスシートを受け取る。より詳細には、プレス曲げステーション１２は、プレス曲げされるべき加熱されたガラスシートを受け取るためのコンベヤ３４を含む。コンベヤ３４は水平ローラ３６と、ホイール３８と、傾斜したローラ搬送装置４０とを含み、それらのうち傾斜したローラ搬送装置４０は、以下に記載されるように本発明に従い構成される。コンベヤ３４は、プレス曲げステーション１２の中に、上向きに凹状の下側モールドリング４２の上に、および下向きに凸状の成形面４５を有する上側モールド４４の下に、熱成形されたガラスシートＧを搬送する。制御器４６が下側アクチュエータ４８および上側アクチュエータ５０を操作し、下側アクチュエータ４８および上側アクチュエータ５０はそれぞれ、下側モールドリング４２および上側モールド４４を上および下に互いに向けて移動させ、コンベヤ３４から熱ガラスシートを持ち上げ、水平方向の湾曲を含み得る設計形状に対してガラスシートプレス成形を実現する。
【００１５】
プレス成形の後、制御器４６は、下側モールドリング４２および上側モールド４４を、それぞれ互いに離れるように下および上に移動させる。このとき真空源５２が上側モールド４４の成形面４５で真空を引き、プレス成形されたガラスシートを支持する。続いて急冷ステーション１８のシャトル５４がアクチュエータ５６によって移動され、急冷リング５８を左側へ、上側モールド４４の下へ移動させる。その後、真空源５２によって提供された真空の終了が、加圧ガスを上側プレスモールド面４５へ供給することによって達成されてもよく、それによりガラスシートを急冷リング５８上へ解放し、次にシャトルアクチュエータ５６がシャトル５４を右側へ、示された位置へ戻すように移動させ、その結果、急冷リング５８およびその上のプレス成形されたガラスシートが、下側および上側急冷ヘッド６０および６２の間に配置されるようにする。下側および上側急冷ヘッド６０および６２は、それぞれガラスシートを急速に冷却する上および下に向けられた急冷ガスを供給し、ガラスシートの機械的強度を増大するガラスシートの強靭化を実現する。
【００１６】
示されるプレスステーションは急冷ステーションを有するが、プレスステーションは、乗り物の層状風防窓を製造する場合のように焼きなましを備えるなど、急冷ステーションのない状態で機能することも可能であることを認識されたい。
【００１７】
各水平ローラ３６および各ホイール３８の一端は、その開示全体が参照することによって組み込まれる米国特許第６，５４３，２５５号明細書（Ｂｅｎｎｅｔｔら）によって開示されるタイプのホイール装置によって水平軸の回りで支持され、かつ回転駆動され、水平ローラの他端は、アイドラホイール装置によって支持される。これらホイール装置は、搬送方向に沿って延在する細長いレールによって支持され、および搬送されるガラスシートの異なる湾曲のための垂直調節を可能にするジャッキによって支持される。
【００１８】
図５を参照すると、本発明の傾斜したローラコンベヤ装置４０は、上に記載したタイプなどの加熱ガラスシート処理システム内に取り付けるための一対の支持部６４および６６を含み、支持部の一方６４は水平支持軸Ａを有し、他方の支持部６６は、支持部６４の水平支持軸Ａと異なる高さの水平の支持および駆動軸Ｂを有する。水平支持軸Ａは示されるように水平の支持および駆動軸Ｂより低い位置に示されているが、これらの各高さを逆にすることも可能である。支持部６４および６６はハウジング６８を含み、ハウジング６８は、全体的に前述の米国特許第６，５４３，２５５号明細書によって開示されるタイプのものであり、かつ概略的に示されるレール７０に取り付け可能であり、レール７０は異なる高さを提供するためにジャッキ７２によって垂直に調節可能である。水平に傾斜したローラ７４が、一対の支持部６４および６６の間に延在し、水平面と角度αを定める傾斜した回転軸Ｃを有し、図４に示されるような上向きに凹んだ形状で搬送される熱成形されたガラスシートＧの上側部分ＧＵの下面に対する支持を提供する。開示されるようなこのアイドラローラは、内側金属管７６と、芳香族ポリアミド繊維などの外側高温織物型コーティングとを含む。
【００１９】
図５および６に示されるように、水平支持軸Ａを有する支持部６４は、水平に傾斜したローラ７４の隣接端部を支持するアイドラベアリング８０を含む。このアイドラベアリング８０は、支持部６４の上端に取り付けられた受容体８２を含み、受容体８２は、水平支持軸Ａに沿って延在しかつ円形の円筒状開口部８４を有し、円形の円筒状開口部８４は、傾斜ローラ７４の金属管７６の隣接端部において取付部９０によって支持された突起８８の部分的球形端部８６を受け入れる。止めネジ９２などが球形端部８６を開口部８４内に維持する。従ってこのアイドラベアリング８０は、水平支持軸Ａと、傾斜ローラ７４の水平に傾斜した軸Ｃとの間の角度調節を可能にする。
【００２０】
図５および７に示されるように、傾斜したローラ搬送装置４０は駆動連結器９４も含み、駆動連結器９４は、その水平の支持および駆動軸Ｂで他方の支持部６６において傾斜ローラ７４を回転可能に支持し、回転駆動し、図４に示されるような熱い上向きに凹んで成形されたガラスシートＧの上側部分ＧＵの搬送を実現する。
【００２１】
図５、７および８に示されるような駆動連結器９４は雌型ソケット９６を含み、雌型ソケット９６は、傾斜軸Ｃの周りで回転するために傾斜ローラ７４の隣接端部に取り付けられるように示されているが、駆動連結器は、その支持および駆動軸Ｂに沿って支持部６６に取り付けることもできる。駆動連結器９４はまた、図５、７および９に示されるように雄型インサート９８も含み、雄型インサート９８は、雌型ソケット９６内に受け入れられ、また示されているように、その支持および駆動軸Ｂにそって支持部６６に取り付けられ、その水平に傾斜した回転軸Ｃに沿った雌型ソケット９６の支持および回転駆動を提供する。雌型ソケットに関して既に考察したように、雄型インサート９８は、傾斜ローラ７４の隣接端部に取り付けることも可能であり、このとき雌型ソケット９６は支持部６６に取付けられ、傾斜ローラ７４をその水平に傾斜した支持軸Ｃの周りで同様に回転駆動する。
【００２２】
図８に示されるような雌型ソケット９６は、ソケット軸と平行に延在する駆動面１０２を有する内側１００を有する。各駆動面１０２は周辺中心位置１０４を有し、周辺中心位置１０４は、図８に示されるような平坦か、図１０に示されるような中点のどちらかであってよい。この中心位置１０４から駆動面１０２は、ソケット軸Ｃからその周辺中心位置１０４までの半径に対し垂直な線１０６から時計回り方向および反時計回り方向の両方に角度βだけ周辺方向においてわずかに外側に傾斜される。
【００２３】
図９、１２および１３を参照すると、雄型インサート９８はインサート軸を有し、インサート軸は、示されるように支持部６６に取り付けられるとき支持軸Ｂである。図５および７に示されるような支持部６６は駆動ベルト１０７を有し、駆動ベルト１０７はレール７０上の下側回転接続部から駆動され、インサート９８が回転駆動されるように取り付けられる上側スピンドルを駆動する。インサート９８は、雌型ソケット９６の駆動面１０２の数と同じ数である駆動面１０８を含む。各駆動面１０８は図１２に示されるように直線的な形状であり、直線的な形状はインサート軸Ｂからその直線的な形状に沿った周辺中心位置までの半径に対して垂直である。図１３に示されるように、各駆動面はインサート軸に沿って丸い形状を有し、その直径は、雌型ソケットの駆動面１０２の周辺中心位置１０４を通る円の直径よりほんのわずか小さく、それによりソケットがインサートを受け入れ、ソケット軸とインサート軸の間に鋭角αがある状態でソケットとインサートの間に回転駆動をもたらすことが可能になる。先行する文の用語「わずかに小さい」は、回転駆動の間結合することなく雄型インサートを雌型ソケット内に受け入れることができるが過度な遊びをもたらすほど大きくないような十分な隙間があることを意味することを理解されたい。
【００２４】
開示されるように、雌型ソケット９６は偶数の駆動面１０２を有し、雄型インサートは偶数の駆動面１０８を有し、具体的には、ソケットは略六角形を形成する６つの駆動面１０２を有し、インサートはソケットの駆動面の六角形よりほんのわずか小さい略六角形を形成する６つの駆動面１０８を有する。
【００２５】
図１０および１１に最もよく示されるように、雌型ソケット９６は窪み１１０を有し、窪み１１０は、その隣接する駆動面１０２の間に位置付けられ、かつソケット軸Ｃからの半径方向において駆動面から外側に延在する。雌型ソケット９６のこれら窪み１１０は丸みを帯び、雄型インサートは丸みを帯びた交差部分１１２を有する。丸みを帯びた窪み１１２を有する雌型ソケットおよび丸みを帯びた交差部分１１２を有する雄型ソケットの構成により、回転駆動の間、ソケット駆動面１０２とインサート駆動面１０８の間に干渉がないことが保証される。
図１０に示されるような駆動面１０２のそれら中心位置１０４からの外側への傾斜は、駆動面が、図７に示されるように見られるとき、一番上および一番下の位置にないとき必要である。一番上および一番下の位置において、ソケットはインサート面１０８と干渉を持たないだろう。しかしながら、雌型ソケット軸とインサート軸の間の角度αの傾斜により、一番上および一番下の位置にないとき、移動の際に干渉がもたらされる。この干渉は、角度αがより大きくなると、より大きくなる。より詳細には、角度αとβは、以下の式：
0006283360.tif 000003
によって関連付けられる。
さらに、角度αはゼロ〜２５度の間であり、角度βはゼロ〜２．５度の間である。
【００２６】
図７に示されるように、駆動連結器９４に接続される傾斜ローラ７４の端部は、傾斜ローラの金属管７６内に適切に固定された環状リング１１４を有する。保持器１１６の軸方向内側に位置付けられた保持器１１６は、ボルト１１８によって、駆動連結器９４の雌型ソケット９６に固定され、傾斜ローラ７４の回転駆動を可能にする接続を提供する。
【００２７】
例示的実施形態を上に記載したが、この実施形態が本発明の可能なすべての形態を記載していることは意図しない。むしろ本明細書中で使用された用語は、限定ではなく説明の用語であり、本発明の趣旨および範囲から逸脱することなくさまざまな変更がなされてもよいことが理解される。さらに、さまざまな実施形態の特徴を、本発明のさらなる実施形態を形成するために組み合わせてもよい。
【図１】
0006283360.tif 000006
【図２】
0006283360.tif 000007
【図３】
0006283360.tif 000008
【図４】
0006283360.tif 000009
【図５】
0006283360.tif 000010
【図６】
0006283360.tif 000011
【図７】
0006283360.tif 000012
【図８】
0006283360.tif 000013
【図９】
0006283360.tif 000014
【図１０】
0006283360.tif 000015
【図１１】
0006283360.tif 000016
【図１２】
0006283360.tif 000017
【図１３】
0006283360.tif 000018
【図１４】
0006283360.tif 000019